(57)【要約】【課題】  設置後の案内軌条の高さ調整を容易に行える手段を提供する。【解決手段】水平支持部材１１と垂直取付部材１２とを有するＬ型部材１と、位置調整ボルト２と、位置調整ボルト２の上端側に位置する接触部材２１と、位置調整ボルト２を固定するロックナット２２と、位置調整ボルト２の上下位置を調整する調整ナット２３と、位置調整ボルト２に対する調整ナット２３の位置を規制する規制ナット２２とを備え、水平支持部材１１には開孔部１１ａが形成され、該開孔部１１ａ周囲には支持ナット１３が固定され、垂直取付部材１２にはＬ型部材１を固定するための取付孔１２ａが形成され、位置調整ボルト２を支持ナット１３に水平支持部材１１の上面側から組み合わせ、水平支持部材１１の裏面側に突出する位置調整ボルト２に、ロックナット２２、規制ナット２４、調整ナット２３の順に組み合わせる。【選択図】図1
2008050771.tif 000002
【特許請求の範囲】
【請求項１】
水平支持部材と垂直取付部材とを有するＬ型部材と、位置調整ボルトと、位置調整ボルトの上端側に位置する接触部材と、位置調整ボルトを固定するロックナットと、位置調整ボルトの上下位置を調整する調整ナットと、位置調整ボルトに対する調整ナットの位置を規制する規制ナットとを備え、
水平支持部材には、位置調整ボルトを通す開孔部が形成され、該開孔部周囲の上面側には位置調整ボルトに組み合わせる支持ナットが固定され、
垂直取付部材には、Ｌ型部材を固定するための取付孔が形成され、
位置調整ボルトを、支持ナットに水平支持部材の上面側から組み合わせ、
水平支持部材の裏面側に突出する位置調整ボルトに、ロックナット、規制ナット、調整ナットの順に組み合わせることを特徴とする、案内軌条調整具。
【発明の詳細な説明】
【技術分野】
【０００１】
本発明は案内軌条調整具に関し、詳細には、側方案内式の交通システムに使われる案内軌条の高さを調整する案内軌条調整具に関する。
【背景技術】
【０００２】
側方案内式の案内軌条は、主にＨ型鋼が使用されている。
そして、該Ｈ型鋼を、高さ位置の調整を行いつつ、側壁等に直接又はクランプを介してボルト止めすることによって、案内軌条が設置されている。
ここで、Ｈ型鋼をボルト止めする際に使用する取付孔は、現場で高さ位置を調整することを考慮して、上下方向に余裕がある長孔状に形成されている。
【０００３】
このようにして設置される案内軌条は、車輌走行中の振動や衝撃等によって、高さ位置にズレが生じるので、一定の期間経過後毎にズレを測定し、上下位置を調整する必要がある。
【０００４】
従来の調整手段は、設置後の案内軌条のズレを調整するために、案内軌条であるＨ型鋼の取付ボルトを緩めた後で、調整区間のＨ型鋼全体を支えながら上方に持ち上げ、その持ち上げた状態を維持しつつ、全体を測定しながら再びＨ型鋼の取付ボルトを締め付けることで、案内軌条を固定する必要があった。
【０００５】
なお、先行文献として、案内軌条取付装置に係る特許文献１に記載のものは知られているが、案内軌条の調整具に関するものは知られていない。
【特許文献１】特開平５−２９４２３１号公報
【発明の開示】
【発明が解決しようとする課題】
【０００６】
従来の調整手段は、取付ボルトを緩めた後に、かなりの重量のあるＨ型鋼全体をジャッキ等で支えながら上方に持ち上げた状態を維持しつつ、固定する必要があるので、調整作業が容易でなかった。
【０００７】
なお、ズレが生じないようにするために、予め、別途の補強材を用いて補強することも考えられるが、溶接等によってＨ型鋼とその取付板との間に補強材を直接取り付けると、Ｈ型鋼の交換作業等が困難になる上に、溶接がサビの要因になるので、採用することができなかった。
【課題を解決するための手段】
【０００８】
本発明の課題を解決するための手段は、次のとおりである。
【０００９】
水平支持部材と垂直取付部材とを有するＬ型部材と、位置調整ボルトと、位置調整ボルトの上端側に位置する接触部材と、位置調整ボルトを固定するロックナットと、位置調整ボルトの上下位置を調整する調整ナットと、位置調整ボルトに対する調整ナットの位置を規制する規制ナットとを備え、
水平支持部材には、位置調整ボルトを通す開孔部が形成され、該開孔部周囲の上面側には位置調整ボルトに組み合わせる支持ナットが固定され、
垂直取付部材には、Ｌ型部材を固定するための取付孔が形成され、
位置調整ボルトを、支持ナットに水平支持部材の上面側から組み合わせ、
水平支持部材の裏面側に突出する位置調整ボルトに、ロックナット、規制ナット、調整ナットの順に組み合わせることを特徴とする、案内軌条調整具。
【００１０】
ここで、水平支持部材における水平とは、案内軌条の接触面に対して水平であることを示す。
また、垂直取付部材における垂直とは、案内軌条取付板の取付面が地面に対して垂直の場合において、同様に垂直であることを示し、要は、Ｌ型部材を取り付けるために壁面等に設置された案内軌条取付板の取付面と平行関係にあることを示す。
【発明の効果】
【００１１】
本発明の案内軌条調整具によると、設置後の案内軌条の位置の調整は、調整ナットを動かして、位置調整ボルトの上端側の接触部材の位置を調整するだけで行うことができるので、取付ボルトを緩めた後に、Ｈ型鋼全体を支えながら上方に持ち上げた状態を維持して固定する必要がなく、容易に調整作業を行うことができる。
【００１２】
また、本発明の案内軌条調整具によると、ズレが生じないようにするために、Ｈ型鋼の設置と共に、予め取り付けておくこともできる。
【図面の簡単な説明】
【００１３】
【図１】本発明の案内軌条調整具の側面図である。
【符号の説明】
【００１４】
１  Ｌ型部材
１１  水平支持部材
１１ａ  開孔部
１２  垂直取付部材
１２ａ  取付孔
１３  支持ナット
１４  取付ボルト
１５  取付ナット
２  位置調整ボルト
２１  接触部材
２２  ロックナット
２３  調整ナット
２４  規制ナット
３  案内軌条固定板
４  Ｈ型鋼
４ａ  接触面
【発明を実施するための最良の形態】
【００１５】
本発明の案内軌条調整具は、正方形状の水平支持部材１１と長方形状の垂直取付部材１２とが一体となって形成されたＬ型部材１と、位置調整ボルト２と、位置調整ボルト２の上端側に位置するリング状の接触部材２１と、位置調整ボルト２を固定するロックナット２２と、位置調整ボルト２の上下位置を調整する調整ナット２３と、位置調整ボルト２に対する調整ナット２３の位置を規制する規制ナット２４とを備えている。
【００１６】
水平支持部材１１には、位置調整ボルト２を通す開孔部１１ａがほぼ中央に形成され、該開孔部１１ａ周囲の上面側には位置調整ボルト２に組み合わせる支持ナット１３が固定されている。
【００１７】
垂直取付部材１２には、Ｌ型部材１を固定するための取付孔１２ａがほぼ中央に形成されている。
【００１８】
水平支持部材１１と垂直取付部材１２との間には、図示は省略するが、両端部付近に補強板を各々取り付けることもできる。
【００１９】
位置調整ボルト２のボルト部分には、接触部材２１を取り付けるためのネジ孔が形成されており、該ネジ孔にワッシャを組み合わせてネジ止めすることで、接触部材２１が位置調整ボルト２に対して回転自在に取り付けられている。
【００２０】
ここで、図中、符号３は案内軌条を固定するための案内軌条固定板を示し、符号３ａは案内軌条固定板に設けた開孔部を示している。
また、符号４は案内軌条であるＨ型鋼を示し、符号４ａはＨ型鋼と接触部材２１との接触面を示している。
【００２１】
次に、本発明の案内軌条調整具の使用形態について説明する。
【００２２】
まず、位置調整ボルト２を、支持ナット１３に水平支持部材１１の上面側から組み合わせ、水平支持部材１１の裏面側に突出する位置調整ボルト２のネジ形成部分に、ロックナット２２、規制ナット２４、調整ナット２３の順に嵌め込むことで組み合わせる。
【００２３】
次に、取付ボルト１４を取付孔１２ａ及び開孔部３ａに通し、反対側から取付ナット１５を締め付けることで、Ｌ型部材１を案内軌条固定板３に固定する。
【００２４】
固定後、規制ナット２４と調整ナット２３を向かい合わせにきつく締め付ける事により、調整ナット２３と位置調整ボルト２は回転を規制される。
その後、調整ナット２３を回すことで、位置調整ボルト２の上端側に位置する接触部材２１の位置を上昇させる。
【００２５】
上昇した接触部材２１がＨ型鋼４の接触面４ａに接したら、さらに、調整ナット２３を回すことで、Ｈ型鋼４を接触面４ａを介して押し上げ、高さ位置を調整する。
【００２６】
調整後は、ロックナット２２を締め付けることで、位置調整ボルト２を固定する。
【００２７】
上記の本発明の案内軌条調整具は、設置後の高さ位置の調整に使用する他にも、ズレが生じないようにするために、Ｈ型鋼の設置と共に、予め取り付けておくこともできる。
【００２８】
このように本発明の案内軌条調整具を予め取り付けておくことで、設置後の高さ位置の調整をほぼ不要にすることもできる。
【図１】
2008050771.tif 000003